(57)【要約】【課題】湯水混合バルブユニットの外部において発生する騒音を低減することができる湯水混合水栓を提供する。【解決手段】本発明は、供給された湯及び水の混合比を変化させると共に、流量を調整して吐水させる湯水混合水栓（１）であって、バルブ本体（８ａ）、及びこのバルブ本体に取り付けられ、湯と水の混合比及び吐水流量を変化させる操作ロッド（８ｂ）を備えた湯水混合バルブユニット（８）と、この湯水混合バルブユニットに湯を供給する湯供給通路（１６ａ）、水を供給する水供給通路、及び湯水混合バルブユニットにおいて混合された湯水が流入する湯水流出通路（１７）が形成された通水路形成部（１６）と、湯水流出通路から流出された湯水を吐水させる吐水部（６）と、湯水流出通路内部に配置された整流フィン（２０ｃ）と、を有することを特徴としている。【選択図】図２
2008208950.tif 000002
【特許請求の範囲】
【請求項１】
供給された湯及び水の混合比を変化させると共に、流量を調整して吐水させる湯水混合水栓であって、
バルブ本体、及びこのバルブ本体に取り付けられ、湯と水の混合比及び吐水流量を変化させる操作ロッドを備えた湯水混合バルブユニットと、
この湯水混合バルブユニットに湯を供給する湯供給通路、水を供給する水供給通路、及び上記湯水混合バルブユニットにおいて混合された湯水が流入する湯水流出通路が形成された通水路形成部と、
上記湯水流出通路から流出された湯水を吐水させる吐水部と、
上記湯水流出通路内部に配置された整流フィンと、
を有することを特徴とする湯水混合水栓。
【請求項２】
上記湯水流出通路は、上記湯水混合バルブユニットのバルブ流出口に接続された流出通路上流部と、この流出通路上流部の下流側に屈曲して接続された流出通路下流部と、を有し、上記整流フィンは、上記流出通路上流部の入口近傍に配置されている請求項１記載の湯水混合水栓。
【請求項３】
上記湯水流出通路は、上記湯水混合バルブユニットのバルブ流出口に接続された流出通路上流部と、この流出通路上流部の下流側に屈曲して接続された流出通路下流部と、を有し、上記整流フィンは、上記流出通路上流部と上記流出通路下流部の接続部近傍に配置されている請求項１記載の湯水混合水栓。
【請求項４】
さらに、上記湯水流出通路の内部に配置された円筒状の整流用ライナーを有し、上記整流フィンは、上記整流用ライナーの端部に形成されている請求項１乃至３の何れか１項に記載の湯水混合水栓。
【請求項５】
上記整流用ライナーが、上記流出通路上流部内の上記整流用ライナーの位置を固定するライナー固定手段を有する請求項４記載の湯水混合水栓。
【請求項６】
上記整流フィンが、上記整流用ライナーの端部に、概ねＵ字形の複数の切欠を形成することにより構成されている請求項４又は５記載の湯水混合水栓。
【請求項７】
湯水混合水栓の湯水混合バルブユニットから流出した湯水が流入する屈曲した湯水流出通路の内部に配置される整流用ライナーであって、
上記屈曲した湯水流出通路の上流側に嵌入される円筒形のライナー本体部と、
このライナー本体部の端部に形成された整流フィンと、
を有することを特徴とする整流用ライナー。
【発明の詳細な説明】
【技術分野】
【０００１】
本発明は、湯水混合水栓及びそれに内蔵される整流用ライナーに関し、特に、供給された湯及び水の混合比を変化させると共に、流量を調整して吐水させる湯水混合水栓及びそれに内蔵される整流用ライナーに関する。
【背景技術】
【０００２】
単一の操作レバーを操作することにより、供給された湯及び水の混合比を変化させると共に、流量を調整することができる所謂シングルレバー水栓が広く普及している。このようなシングルレバー水栓は、コンパクトな湯水混合バルブユニットを使用して、吐水・止水の切り替え、湯水の温度調整をし、流量調整をすることができるため利便性が高いものである。しかしながら、このようなシングルレバー水栓において、使用条件によっては吐水時に騒音が発生するという問題がある。
【０００３】
登録実用新案第２５５１４４１号公報（特許文献１）には、ディスク弁からなる湯水混合水栓の騒音防止装置が記載されている。この湯水混合水栓においては、内蔵された湯水混合バルブユニットの内部に金網を配置することにより、湯水混合水栓から発生する騒音を軽減している。一般に、湯水混合バルブユニットおいては、内蔵された固定ディスク及び可動ディスクの相対位置を変化させることにより流量及び温度が調整される。上記騒音防止装置では、可動ディスクの内部に形成される混合室に椀状の網体を配置することによって、湯水混合水栓の騒音を防止している。
【０００４】
【特許文献１】登録実用新案第２５５１４４１号公報
【発明の開示】
【発明が解決しようとする課題】
【０００５】
しかしながら、登録実用新案第２５５１４４１号公報に記載の湯水混合水栓では、湯水混合バルブユニット内に目の細かい網体を配置しているため、長期間使用していると網体が目詰まりを起こしてしまうという問題がある。即ち、網体が目詰まりすると吐水流量が減少し、実使用において支障を来すことになるが、網体は湯水混合バルブユニット内に配置されているため、これを清掃することは困難である。このため、網体が目詰まりした湯水混合バルブユニットごと交換する必要があるという問題がある。
【０００６】
また、上記の湯水混合水栓においては、湯水混合バルブユニット内で騒音対策が行われているため、既存の湯水混合水栓で騒音が発生している場合、湯水混合バルブユニットを交換するか、或いは湯水混合水栓全体を交換しなければならないという問題がある。
【０００７】
さらに、湯水混合水栓から発生する騒音の騒音源は、湯水混合バルブユニットの外部にも存在するため、湯水混合バルブユニット内のみに騒音対策を施したとしても、十分に騒音が低減できないという問題もある。
【０００８】
従って、本発明は、既存の湯水混合バルブユニットを使用したまま、騒音を低減することができる湯水混合水栓及びそれに内蔵される整流用ライナーを提供することを目的としている。
【０００９】
また、本発明は、湯水混合バルブユニットの外部において発生する騒音を低減することができる湯水混合水栓及びそれに内蔵される整流用ライナーを提供することを目的としている。
【課題を解決するための手段】
【００１０】
上述した課題を解決するために、本発明は、供給された湯及び水の混合比を変化させると共に、流量を調整して吐水させる湯水混合水栓であって、バルブ本体、及びこのバルブ本体に取り付けられ、湯と水の混合比及び吐水流量を変化させる操作ロッドを備えた湯水混合バルブユニットと、この湯水混合バルブユニットに湯を供給する湯供給通路、水を供給する水供給通路、及び湯水混合バルブユニットにおいて混合された湯水が流入する湯水流出通路が形成された通水路形成部と、湯水流出通路から流出された湯水を吐水させる吐水部と、湯水流出通路内部に配置された整流フィンと、を有することを特徴としている。
【００１１】
このように構成された本発明においては、供給された湯が、通水路形成部の湯供給通路を通って湯水混合バルブユニットに流入し、供給された水は、通水路形成部の水供給通路を通って湯水混合バルブユニットに流入する。湯水混合バルブユニット内で混合された湯水は、通水路形成部の湯水流出通路を通って、吐水部から吐水される。湯水流出通路の内部には整流フィンが配置され、そこを通る湯水の流れが整流される。
【００１２】
このように構成された本発明によれば、湯水混合バルブユニットを通過した湯水の流れが整流フィンによって整流されるので、湯水混合バルブユニットの外部において発生する騒音を低減することができる。
【００１３】
本発明において、好ましくは、湯水流出通路は、湯水混合バルブユニットのバルブ流出口に接続された流出通路上流部と、この流出通路上流部の下流側に屈曲して接続された流出通路下流部と、を有し、整流フィンは、流出通路上流部の入口近傍に配置されている。
【００１４】
このように構成された本発明によれば、流出通路上流部の入口近傍に整流フィンが配置されているので、湯水が湯水混合バルブユニットから流出した際に発生する渦、キャビーテーション等を抑制することができ、これにより、騒音を低減することができる。
【００１５】
本発明において、好ましくは、湯水流出通路は、湯水混合バルブユニットのバルブ流出口に接続された流出通路上流部と、この流出通路上流部の下流側に屈曲して接続された流出通路下流部と、を有し、整流フィンは、流出通路上流部と流出通路下流部の接続部近傍に配置されている。
【００１６】
このように構成された本発明によれば、流出通路上流部と流出通路下流部の接続部近傍に整流フィンが配置されているので、湯水の流れが急激に屈曲される際に発生する渦やキャビーテーションや乱流等を抑制することができ、これにより、騒音を低減することができる。
【００１７】
本発明において、好ましくは、さらに、湯水流出通路の内部に配置された円筒状の整流用ライナーを有し、整流フィンは、整流用ライナーの端部に形成されている。
【００１８】
このように構成された本発明によれば、流出通路上流部内に配置された整流用ライナーに整流フィンが形成されているので、整流フィンを流出通路上流部に容易に配置することができる。また、このように構成された本発明によれば、既存の湯水混合水栓から発生する騒音を容易に低減することができる。
【００１９】
本発明において、好ましくは、整流用ライナーが、流出通路上流部内の整流用ライナーの位置を固定するライナー固定手段を有する。
このように構成された本発明によれば、ライナー固定手段により整流用ライナーが固定されているので、整流用ライナー自体の振動を防止することができる。
【００２０】
本発明において、好ましくは、整流フィンが、整流用ライナーの端部に、概ねＵ字形の複数の切欠を形成することにより構成されている。
このように構成された本発明によれば、整流用ライナーに整流フィンを容易に形成することができる。
【００２１】
また、本発明は、湯水混合水栓の湯水混合バルブユニットから流出した湯水が流入する屈曲した湯水流出通路の内部に配置される整流用ライナーであって、屈曲した湯水流出通路の上流側に嵌入される円筒形のライナー本体部と、このライナー本体部の端部に形成された整流フィンと、を有することを特徴としている。
【発明の効果】
【００２２】
本発明の湯水混合水栓及びそれに内蔵される整流用ライナーによれば、既存の湯水混合バルブユニットを使用したまま、湯水混合水栓の騒音を低減することができる。
また、本発明の湯水混合水栓及びそれに内蔵される整流用ライナーによれば、湯水混合バルブユニットの外部から発生する騒音を低減することができる。
【発明を実施するための最良の形態】
【００２３】
次に、添付図面を参照して、本発明の好ましい実施形態を説明する。
まず、図１乃至図４を参照して、本発明の第１実施形態による湯水混合水栓を説明する。図１は、本発明の第１実施形態による湯水混合水栓全体を示す斜視図である。図２は、本実施形態による湯水混合水栓の斜視断面図である。また、図３は、本実施形態の湯水混合水栓に内蔵されている湯水混合バルブユニットの斜視断面図である。さらに、図４は、本実施形態の湯水混合水栓に内蔵されている整流用ライナーの斜視図である。
【００２４】
まず、図１及び図２に示すように、本発明の第１実施形態による湯水混合水栓１は、ほぼ鉛直方向に延びる水栓本体部２と、この水栓本体部２の側面から斜め上方に延び、先端に吐水口４が設けられた吐水部６と、を有する。さらに、湯水混合水栓１は、湯と水を適宜混合し、吐水流量を調節する湯水混合バルブユニット８と、この湯水混合バルブユニット８を操作するために水栓本体部２上部に取付けられた操作レバー１０と、を有する。また、湯水混合水栓１は、水栓本体部２内に配置された通水路形成部１６と、この通水路形成部１６の上方に、湯水混合バルブユニット８を取り囲むように配置されたバルブ押さえ１８と、通水路形成部１６の内部に配置された整流用ライナー２０と、を有する。
【００２５】
本実施形態の湯水混合水栓１は、操作レバー１０を左右方向に回動させることにより、湯用給水管１２及び水用給水管１４から夫々供給された湯と水の混合比を変化させるように構成されている。また、湯水混合水栓１は、操作レバー１０を上下方向に回動させることにより、湯と水が混合された湯水の吐水流量を調節し、吐水部６の吐水口４から吐水させるように構成されている。
【００２６】
水栓本体部２は、概ね円筒状の部材であり、内部に通水路形成部１６を収容している。吐水部６は、水栓本体部２の側面から斜め上方に向けて延びる概ね楕円形断面の管であり、その先端に吐水口４が設けられている。湯水混合バルブユニット８から流出した湯水は、通水路形成部１６を介して水栓本体部２内に流入し、吐水部６を通って吐水口４から吐水されるように構成されている。
【００２７】
通水路形成部１６は、水栓本体部２の内側に収納された概ね円柱状の部材であり、その底面には、湯用給水管１２及び水用給水管１４が接続されるように構成されている。また、通水路形成部１６の内部には、湯用給水管１２が接続される湯供給通路１６ａ、水用給水管１４が接続される水供給通路１６ｂ（図示せず）が、その軸線方向に貫通するように形成されている。さらに、通水路形成部１６には、湯水混合バルブユニット８で混合された湯水が流入する湯水流出通路１７が形成されている。
【００２８】
この湯水流出通路１７は、通水路形成部１６の上端面から下方に延びる流出通路上流部１７ａと、この流出通路上流部１７ａの下流側にほぼ直角に屈曲するように接続された流出通路下流部１７ｂと、を有する。即ち、湯水流出通路１７は、湯水混合水栓１の後方に向けてＬ字型に屈曲されている。また、流出通路上流部１７ａの下端に連通した流出通路下流部１７ｂは、通水路形成部１６の側面まで延びており、湯水流出通路１７に流入した湯水は通水路形成部１６の側面から流出し、通水路形成部１６と水栓本体部２との間の空間に流入するように構成されている。
【００２９】
さらに、湯水流出通路１７の上流側である流出通路上流部１７ａには、整流用ライナー２０が嵌入されている。本発明の発明者は、理論解析、流れの数値シミュレーション、実験等を繰り返すことにより、湯水混合水栓１において発生する騒音の主な原因が、湯水が湯水混合バルブユニット８から湯水流出通路１７に流入する際の急激な流路断面積の変化によるキャビテーションや渦の発生にあることを突き止めた。さらに、本発明の発明者は、湯水流出通路１７が急激にほぼ直角に屈曲されることにより発生する境界層の剥離や、乱流によっても騒音が発生していることを見出した。本実施形態においては、このキャビテーションや境界層の剥離を湯水流出通路１７に整流用ライナー２０を配置することにより抑制している。整流用ライナー２０の詳細な構成及び作用は、後述する。
【００３０】
一方、湯水混合バルブユニット８は、湯用給水管１２から湯供給通路１６ａを介して流入した湯、及び水用給水管１４から水供給通路１６ｂ介して流入した水を適宜混合し、湯水流出通路１７に流出させるように構成されている。また、湯水混合バルブユニット８は、段付きの概ね円筒状のバルブ本体８ａと、このバルブ本体８ａに回動可能に取り付けられた操作ロッド８ｂと、を有する。湯水混合バルブユニット８は、操作ロッド８ｂを水平な軸線を中心に回動させることにより、吐水、止水及び流量調整可能に構成されている。さらに、操作ロッド８ｂを鉛直な軸線を中心に回動させることにより、湯及び水の混合比を変化させ、湯水の温度調整ができるように構成されている。湯水混合バルブユニット８の詳細な構成については後述する。
【００３１】
バルブ押さえ１８は、上端がすぼまった概ね円筒状の部材であり、その下端には、雌ねじ部１８ａが形成されている。この雌ねじ部１８ａを通水路形成部１６の上端部外周に形成された雄ねじ部１６ｃと螺合させることにより、バルブ押さえ１８と通水路形成部１６の間に湯水混合バルブユニット８を挟み、湯水混合バルブユニット８を固定するように構成されている。
【００３２】
操作レバー１０は、バルブ押さえ１８の上端部を覆うように形成された操作レバー取付部１０ａと、この操作レバー取付部１０ａから延びるハンドル部１０ｂと、を有する。操作レバー取付部１０ａの内部には湯水混合バルブユニット８の操作ロッド８ｂが固定されており、使用者がハンドル部１０ｂを操作することにより、操作ロッド８ｂを水平方向軸線及び鉛直方向軸線を中心に回動させることができるように構成されている。
【００３３】
次に、図３を参照して、湯水混合水栓１に内蔵されている湯水混合バルブユニット８を説明する。図３は、湯水混合バルブユニット８の斜視断面図である。
図３に示すように、湯水混合バルブユニット８は、バルブ本体８ａと、操作ロッド８ｂと、このバルブ本体８ａの中に収納された固定ディスク２２と、この固定ディスク２２に対して可動な可動ディスク２４と、を有する。
【００３４】
操作ロッド８ｂは、水平方向に向けられた支軸２６を中心に回動可能に構成されている。また、この支軸２６は、バルブ本体８ａに対して、湯水混合バルブユニット８の中心を通る鉛直方向軸線を中心に回動可能に構成されている。従って、操作ロッド８ｂは、支軸２６を中心に回動可能であると同時に、鉛直方向軸線を中心に回動可能に支持されている。
【００３５】
固定ディスク２２は、湯流入口２２ａ、水流入口２２ｂ（図示せず）、及び湯水流出口２２ｃが形成された概ね円板状の部材であり、バルブ本体８ａに対して固定されている。湯流入口２２ａ、水流入口２２ｂは、通水路形成部１６に設けられた湯供給通路１６ａ及び水供給通路１６ｂと連通するように構成されており、供給された湯及び水が夫々流入するようになっている。
【００３６】
可動ディスク２４は、概ね円板状の部材であり、その上面には操作ロッド受入凹部２４ａが、下面には通水凹部２４ｂが夫々形成されている。操作ロッド受入凹部２４ａは、操作ロッド８ｂの下端部を受入れており、操作ロッド８ｂが支軸２６を中心に回動されることにより、可動ディスク２４が固定ディスク２２に対して前後方向に移動されるように構成されている。また、操作ロッド８ｂが鉛直方向軸線を中心に回動されると、これと係合している可動ディスク２４も固定ディスク２２に対して回動されるように構成されている。
【００３７】
また、可動ディスク２４の下面の通水凹部２４ｂは、可動ディスク２４が固定ディスク２２に対して移動されたとき、固定ディスク２２の湯流入口２２ａ及び水流入口２２ｂを適宜開閉するような形状に構成されている。即ち、図２に示すように、可動ディスク２４が最も後方（図２における右側）に移動された状態では、湯流入口２２ａ及び水流入口２２ｂは、可動ディスク２４によって完全に閉鎖され、止水状態となる。この状態から、操作ロッド８ｂを、支軸２６を中心に回動させ、可動ディスク２４を前方に移動させると、固定ディスク２２の湯流入口２２ａ及び水流入口２２ｂと可動ディスク２４の通水凹部２４ｂが重なるようになる。この状態では、湯流入口２２ａ及び水流入口２２ｂを通って流入した湯及び水は、通水凹部２４ｂの中に流入して混合され、さらに湯水流出口２２ｃを通って流出する。湯水流出口２２ｃを通過した湯水は、バルブ流出口８ｃを通って通水路形成部１６の湯水流出通路１７に流入する。図３に示す可動ディスク２４を最も前方に移動させた状態では、湯流入口２２ａ及び水流入口２２ｂは、最も開放された状態となり、吐水流量も最大になる。
【００３８】
一方、操作ロッド８ｂを、鉛直方向軸線を中心に回動させ、可動ディスク２４を回動させた場合には、湯流入口２２ａ及び水流入口２２ｂの開度が変化する。即ち、操作レバー１０（操作ロッド８ｂ）を、湯側に回動させた場合には、湯用給水管１２と連通する湯流入口２２ａの開度が大きくなり、水用給水管１４と連通する水流入口２２ｂの開度が小さくなる。これにより、水の流入量が減り、湯の流入量が増えるので、吐水される湯水の温度が高くなる。逆に、操作レバー１０を、水側に回動させた場合には、水の流入量が増え、湯の流入量が減るので、吐水される湯水の温度が低くなる。なお、図２に示すように、可動ディスク２４が最も後方に移動されている場合には、操作ロッド８ｂを、鉛直方向軸線を中心に回動させても湯流入口２２ａ及び水流入口２２ｂは閉鎖されたままであり、止水状態が維持される。
【００３９】
次に、図４を参照して、整流用ライナー２０を説明する。図４は、整流用ライナー２０の斜視図である。
図４に示すように、整流用ライナー２０は、概ね円形断面のパイプ状の部材であり、通水路形成部１６の湯水流出通路１７の中に落とし込まれて嵌入するように構成されている。整流用ライナー２０は、円形パイプ状のライナー本体部２０ａと、このライナー本体部２０ａの下端に形成された４つの概ねＵ字型の切欠２０ｂ（図４には２つのみ図示）と、を有する。ライナー本体部２０ａの下端に４つの切欠２０ｂを形成することにより、各切欠の間に４つの整流フィン２０ｃ（図４には３つのみ図示）が形成されている。
【００４０】
図２に示すように、整流用ライナー２０は、通水路形成部１６の湯水流出通路１７の中に落とし込まれると、その先端が、湯水流出通路１７の段部１７ｃに当接されて位置決めされる。これにより、整流用ライナー２０は、その上流側の端面が通水路形成部１６の上端面とほぼ面一になり、下流側の端部に形成された整流フィン２０ｃが、湯水流出通路１７の流出通路上流部１７ａと流出通路下流部１７ｂの接続部近傍に配置されるように位置決めされる。
【００４１】
次に、本発明の第１実施形態による湯水混合水栓１の作用を説明する。まず、図２に示す止水状態においては、可動ディスク２４が固定ディスク２２に設けられた湯流入口２２ａ及び水流入口２２ｂを閉鎖しているので、湯用給水管１２及び水用給水管１４を介して供給された水及び湯は、湯水混合バルブユニット８内に流入せず、止水状態になる。次に、操作レバー１０（操作ロッド８ｂ）を、支軸２６を中心に上方に回動させると、可動ディスク２４は前方に移動され、湯流入口２２ａ及び水流入口２２ｂが開いて吐水状態となる。操作レバー１０が湯水混合水栓１の正面に向けられている場合には、湯流入口２２ａ及び水流入口２２ｂの開度はほぼ等しくなり、ほぼ同量の水及び湯が湯水混合バルブユニット８内に流入する。
【００４２】
湯水混合バルブユニット８内に流入した水及び湯は、混合され、湯水混合バルブユニット８の底面のバルブ流出口８ｃから流出される。バルブ流出口８ｃから流出した湯水は、湯水流出通路１７の流出通路上流部１７ａに配置された整流用ライナー２０の内部に流入する。ここで、湯水流出通路１７の流路面積は、整流用ライナー２０により縮小されているため、湯水が湯水混合バルブユニット８を通過する際の流体抵抗となる。即ち、整流用ライナー２０のライナー本体部２０ａは、流体抵抗手段として作用する。これにより、湯水混合バルブユニット８内における流速が低下し、湯水混合バルブユニット８内で発生するキャビテーションが抑制される。また、整流用ライナー２０により流路が縮小されているため、湯水混合バルブユニット８内の湯水の圧力と整流用ライナー２０内の湯水の圧力の圧力差が小さくなる。これにより、バルブ流出口８ｃ付近で発生する渦やキャビテーションや乱流等の発生が抑制される。
【００４３】
さらに、整流用ライナー２０を通過した湯水は、その下端に形成された整流フィン２０ｃにより整流される。これにより、湯水流出通路１７がＬ字型に曲げられることによる渦やキャビテーションや乱流等発生が抑制される。
湯水流出通路１７から流出した湯水は、水栓本体部２と通水路形成部１６の間の空間に流入し、通水路形成部１６の外周を回って湯水混合水栓１の前面側に流れる。湯水混合水栓１の前面側に流れた湯水は、吐水部６を通って吐水口４から吐水される。また、操作レバー１０を右方向又は左方向に回動させると、流入する湯及び水の混合比が変化し、吐水される湯水の温度を調節することができる。さらに、操作レバー１０を下方に回動させていくと、湯水混合バルブユニット８に流入する湯及び水の量が減少し、止水状態となる。
【００４４】
本発明の第１実施形態の湯水混合水栓装置によれば、湯水混合バルブユニットを通過した湯水の流れが整流フィンによって整流されるので、湯水混合バルブユニットの外部において発生する騒音を低減することができる。
【００４５】
また、本実施形態の湯水混合水栓装置によれば、流出通路上流部と流出通路下流部の接続部近傍に整流フィンが配置されているので、湯水の流れが急激に屈曲される際に発生する渦やキャビテーションや乱流等を抑制することができ、これにより、騒音を低減することができる。
【００４６】
さらに、本実施形態の湯水混合水栓装置によれば、流出通路上流部内に配置された整流用ライナーに整流フィンが形成されているので、整流フィンを流出通路上流部に容易に配置することができる。
【００４７】
また、本実施形態の湯水混合水栓装置によれば、流出通路上流部に整流用ライナーを配置するだけで、既存の湯水混合水栓から発生する騒音を容易に低減することができる。
【００４８】
さらに、本実施形態の湯水混合水栓装置によれば、整流用ライナーの端部に概ねＵ字形の複数の切欠を形成することにより、整流フィンが構成されているので、整流用ライナーに整流フィンを容易に形成することができる。
【００４９】
また、上述した実施形態においては、整流用ライナー２０は、湯水流出通路１７の流出通路上流部１７ａに落とし込まれ、その下端が段部１７ｃに当接することによって位置決めされていたが、変形例として、整流用ライナーにライナー固定手段を設けることもできる。
【００５０】
図５は、第１変形例による整流用ライナーの斜視図である。
図５に示すように、第１変形例による整流用ライナー３０は、概ね円形断面のパイプ状のライナー本体部３０ａと、その下端に設けられた切欠３０ｂ及び整流フィン３０ｃを有し、その上端部外周にはライナー固定手段である４つの突起部３０ｄ（２つのみ図示）が形成されている。この突起部３０ｄは、整流用ライナー３０が流出通路上流部１７ａに挿入されたとき、弾性変形され、整流用ライナー３０を流出通路上流部１７ａの適所に固定するように形成されている。
【００５１】
本変形例によれば、整流用ライナー３０が流出通路上流部１７ａ内に固定されるので、整流用ライナー３０自体が振動して、振動音が発生するのを防止することができる。また、本変形例の整流用ライナー３０によれば、湯水混合水栓１の輸送中に、整流用ライナー３０の位置が流出通路上流部１７ａ内でずれて欠損したり、湯水混合バルブユニット８内のセラミック製の固定ディスク２２等を損傷したりするのを防止することができる。
【００５２】
また、上述した実施形態においては、整流フィンは、整流用ライナーの下端のみに設けられていたが、整流フィンを整流用ライナーの上端に設けることもできる。
【００５３】
図６は、第２変形例による（ａ）整流用ライナーの斜視図、及び（ｂ）整流用ライナーを通水路形成部に挿入した状態を示す断面図である。
図６（ａ）に示すように、第２変形例による整流用ライナー４０は、概ね円形断面のパイプ状のライナー本体部４０ａと、その下端に設けられた切欠４０ｂ及び下流側の整流フィン４０ｃを有し、その側面外周にはライナー固定手段であるＯリング４２を配置するための環状の溝４０ｄが形成されている。さらに、整流用ライナー４０の上端部には、８枚の整流フィン４０ｅが形成されている。各整流フィン４０ｅは、整流用ライナー４０の軸線方向に延びる概ね平板状に形成されており、夫々半径方向に向けられている。また、これらの整流フィン４０ｅの上端内周には円盤部４０ｆが形成されている。
【００５４】
図６（ｂ）に示すように、本変形例の整流用ライナー４０を使用する際には、Ｏリング４２を溝４０ｄ内に配置して、流出通路上流部１７ａ内に挿入する。Ｏリング４２は、整流用ライナー４０が流出通路上流部１７ａに挿入されたとき弾性変形され、整流用ライナー４０を流出通路上流部１７ａの適所に固定する。また、整流用ライナー４０上端の円盤部４０ｆは、整流用ライナー４０が流出通路上流部１７ａに配置された際、通水路形成部１６の上端面とほぼ面一となる。また、整流用ライナー４０の整流フィン４０ｅは、流出通路上流部１７ａの入口近傍に配置される。
【００５５】
本変形例の整流用ライナー４０を使用した場合には、バルブ流出口８ｃから流出した湯水は、円盤部４０ｆを迂回して、各整流フィン４０ｅの間の概ね扇型の空間から整流用ライナー４０の内部に流入する。これにより、円盤部４０ｆは、流体抵抗手段として作用して、湯水混合バルブユニット８内における流速が低下し、湯水混合バルブユニット８内で発生するキャビテーションが抑制される。また、整流フィン４０ｅは、湯水混合バルブユニット８から整流用ライナー４０内に流入する湯水の流れを整流して、バルブ流出口８ｃ付近で発生する渦やキャビテーションや乱流等の発生を抑制する。
【００５６】
さらに、整流用ライナー４０を通過した湯水は、その下端に形成された整流フィン４０ｃにより整流される。これにより、湯水流出通路１７がＬ字型に曲げられることによる渦やキャビテーションや乱流等の発生が抑制される。
【００５７】
本変形例によれば、整流用ライナー４０の上流側にも整流フィン４０ｅが配置されているので、整流用ライナー４０に流入する湯水も整流することができる。これにより、湯水が湯水混合バルブユニットから流出した際に発生する渦、キャビーテーション等を抑制することができ、騒音を低減することができる。また、本変形例によれば、整流用ライナー４０がＯリング４２により流出通路上流部１７ａ内に固定されるので、整流用ライナー４０自体の振動、及び整流用ライナー４０の適所からのずれを防止することができる。
【００５８】
また、上記の第２変形例において、上流側に設けられていた形状の整流フィンを下流側に設けることもできる。
図７は、第３変形例による（ａ）整流用ライナーの斜視図、及び（ｂ）整流用ライナーを通水路形成部に挿入した状態を示す断面図である。
【００５９】
図７（ａ）に示すように、第３変形例による整流用ライナー５０は、概ね円形断面のパイプ状のライナー本体部５０ａと、その下端に設けられた下流側の８枚の整流フィン５０ｂとを有する。整流フィン５０ｂは、整流用ライナー５０の軸線方向に延びる平板状に形成され、夫々半径方向に向けられている。
【００６０】
図７（ｂ）に示すように、本変形例の整流用ライナー５０は、通水路形成部１６の流出通路上流部１７ａ内に落とし込まれ、その下端が段部１７ｃに当接するように配置される。これにより、下流側に設けられた整流フィン５０ｂは、流出通路上流部１７ａと流出通路下流部１７ｂの接続部近傍に配置される。
【００６１】
本変形例の整流用ライナー５０を通過した湯水は、その下端に形成された整流フィン５０ｂにより整流される。これにより、湯水流出通路１７がＬ字型に曲げられることによる渦やキャビテーションや乱流等の発生が抑制される。
【００６２】
或いは、図６に示した第２変形例において、整流用ライナー下流側の切欠（整流フィン）を省略することもできる。
図８は、第４変形例による（ａ）整流用ライナーの斜視図、及び（ｂ）整流用ライナーを通水路形成部に挿入した状態を示す断面図である。
【００６３】
図８（ａ）に示すように、第４変形例による整流用ライナー６０は、概ね円形断面のパイプ状のライナー本体部６０ａと、その上端に設けられた８枚の整流フィン６０ｂと、を有する。各整流フィン６０ｂは、整流用ライナー６０の軸線方向に延びる平板状に形成され、夫々半径方向に向けられており、これらの整流フィン６０ｂの上端内周には円盤部６０ｃが形成されている。
【００６４】
図８（ｂ）に示すように、本変形例の整流用ライナー６０は、通水路形成部１６の流出通路上流部１７ａ内に落とし込まれ、その下端が段部１７ｃに当接するように配置される。これにより、整流用ライナー６０上端の円盤部６０ｃは、通水路形成部１６の上端面とほぼ面一となる。
【００６５】
本変形例の整流用ライナー６０を使用した場合には、円盤部６０ｃが、流体抵抗手段として作用して、湯水混合バルブユニット８内における流速が低下し、湯水混合バルブユニット８内で発生するキャビテーションが抑制される。また、整流フィン６０ｂは、湯水混合バルブユニット８から整流用ライナー６０内に流入する湯水の流れを整流して、バルブ流出口８ｃ付近で発生する渦やキャビテーションや乱流等の発生を抑制する。
【００６６】
また、本変形例においては、整流用ライナー６０の先端に切欠が設けられていないため、整流用ライナー６０の下流端から流出通路下流部１７ｂに至る流路断面積が狭くなる。従って、本変形例の整流用ライナーを使用した場合には、上述した第２変形例の整流用ライナーを使用した場合よりも吐水流量が低下することになる。或いは、本変形例の整流用ライナー６０の全長を短く形成すると共に、整流用ライナー６０の下端が段部１７ｃから離れるように、Ｏリング等のライナー固定手段によって固定することもできる。これにより、整流用ライナーの下流端における流路断面積を確保して、流量の低下を防止することができる。
【００６７】
次に、図９及び図１０を参照して、本発明の第２実施形態による湯水混合水栓を説明する。本実施形態の湯水混合水栓は、整流フィンが通水路形成部と一体に形成されている点が上述した第１実施形態とは異なる。従って、ここでは、本実施形態の第１実施形態とは異なる点のみを説明し、同様の構成には同一の符号を附して説明を省略する。
【００６８】
図９は本実施形態による湯水混合水栓の斜視断面図であり、図１０は湯水混合水栓に内蔵されている通水路形成部の斜視図である。
図９に示すように、本発明の第２実施形態による湯水混合水栓１００は、水栓本体部２と、吐水口４が設けられた吐水部６と、湯水混合バルブユニット８と、操作レバー１０と、水栓本体部２内に配置された通水路形成部１１６と、バルブ押さえ１８と、を有する。
【００６９】
図１０に示すように、通水路形成部１１６は、水栓本体部２の内側に収納された概ね円柱状の部材であり、その底面には、湯用給水管１２及び水用給水管１４が接続されるように構成されている。また、通水路形成部１１６の内部には、湯用給水管１２が接続される湯供給通路１１６ａ、水用給水管１４が接続される水供給通路１１６ｂが、その軸線方向に貫通するように形成されている。さらに、通水路形成部１１６には、湯水混合バルブユニット８で混合された湯水が流入する湯水流出通路１１７が形成されている。
【００７０】
この湯水流出通路１１７は、通水路形成部１１６の上端面から下方に延びる流出通路上流部１１７ａと、この流出通路上流部１１７ａの下流側にほぼ直角に屈曲するように接続された流出通路下流部１１７ｂと、を有する。即ち、湯水流出通路１１７は、湯水混合水栓１００の後方に向けてＬ字型に屈曲されている。また、流出通路上流部１１７ａの下端に連通した流出通路下流部１１７ｂは、通水路形成部１１６の側面まで延びており、湯水流出通路１１７に流入した湯水は通水路形成部１１６の側面から流出し、通水路形成部１１６と水栓本体部２との間の空間に流入するように構成されている。
【００７１】
さらに、湯水流出通路１１７の上流側である流出通路上流部１１７ａの内壁面には、半径方向内方に向けられた６枚の整流フィン１２０が、通水路形成部１１６と一体に形成されている。各整流フィン１２０は、概ね平板状であり、流出通路上流部１１７ａの軸線方向に、流出通路上流部１１７ａの全長に亘って形成されている。即ち、整流フィン１２０は、流出通路上流部１１７ａの入口近傍から、流出通路上流部１１７ａと流出通路下流部１１７ｂの接続部近傍まで延びている。
【００７２】
湯水混合水栓１００の使用時において、バルブ流出口８ｃから流出した湯水は、湯水流出通路１１７の流出通路上流部１１７ａに流入する。ここで、流出通路上流部１１７ａの流路面積は、整流フィン１２０により縮小されているため、湯水が湯水混合バルブユニット８を通過する際の流体抵抗となる。即ち、整流フィン１２０は、流体抵抗手段としても作用する。これにより、湯水混合バルブユニット８内における流速が低下し、湯水混合バルブユニット８内で発生するキャビテーションが抑制される。また、整流フィン１２０により流路が縮小されているため、湯水混合バルブユニット８内の湯水の圧力と流出通路上流部１１７ａ内の湯水の圧力の圧力差が小さくなる。これにより、バルブ流出口８ｃ付近で発生する渦やキャビテーションや乱流等の発生が抑制される。
【００７３】
さらに、流出通路上流部１１７ａの内部では、整流フィン１２０により湯水の流れが整流される。これにより、湯水流出通路１１７がＬ字型に曲げられることによる渦やキャビテーションや乱流等の発生が抑制される。
【００７４】
以上、本発明の好ましい実施形態を説明したが、上述した実施形態に種々の変更を加えることができる。
【図面の簡単な説明】
【００７５】
【図１】本発明の第１実施形態による湯水混合水栓全体を示す斜視図である。
【図２】本発明の第１実施形態による湯水混合水栓の斜視断面図である。
【図３】本発明の第１実施形態による湯水混合水栓に内蔵されている湯水混合バルブユニットの斜視断面図である。
【図４】本発明の第１実施形態による湯水混合水栓に内蔵されている整流用ライナーの斜視図である。
【図５】第１変形例による整流用ライナーの斜視図である。
【図６】第２変形例による（ａ）整流用ライナーの斜視図、及び（ｂ）整流用ライナーを通水路形成部に挿入した状態を示す断面図である。
【図７】第３変形例による（ａ）整流用ライナーの斜視図、及び（ｂ）整流用ライナーを通水路形成部に挿入した状態を示す断面図である。
【図８】第４変形例による（ａ）整流用ライナーの斜視図、及び（ｂ）整流用ライナーを通水路形成部に挿入した状態を示す断面図である。
【図９】本発明の第２実施形態による湯水混合水栓の斜視断面図である。
【図１０】本発明の第２実施形態による湯水混合水栓に内蔵されている通水路形成部の斜視図である。
【符号の説明】
【００７６】
１        本発明の第１実施形態による湯水混合水栓
２        水栓本体部
４        吐水口
６        吐水部
８        湯水混合バルブユニット
８ａ      バルブ本体
８ｂ      操作ロッド
８ｃ      バルブ流出口
１０      操作レバー
１０ａ    操作レバー取付部
１０ｂ    ハンドル部
１２      湯用給水管
１４      水用給水管
１６      通水路形成部
１６ａ    湯供給通路
１６ｂ    水供給通路
１６ｃ    雄ねじ部
１７      湯水流出通路
１７ａ    流出通路上流部
１７ｂ    流出通路下流部
１７ｃ    段部
１８      バルブ押さえ
１８ａ    雌ねじ部
２０      整流用ライナー
２０ａ    ライナー本体部
２０ｂ    切欠
２０ｃ    整流フィン
２２      固定ディスク
２２ａ    湯流入口
２２ｂ    水流入口
２２ｃ    湯水流出口
２４      可動ディスク
２４ａ    操作ロッド受入凹部
２４ｂ    通水凹部
２６      支軸
３０      第１変形例による整流用ライナー
３０ａ    ライナー本体部
３０ｂ    切欠
３０ｃ    整流フィン
３０ｄ    突起部（ライナー固定手段）
４０      第２変形例による整流用ライナー
４０ａ    ライナー本体部
４０ｂ    切欠
４０ｃ    整流フィン
４０ｄ    溝
４０ｅ    整流フィン
４０ｆ    円盤部
４２      Ｏリング
５０      第３変形例による整流用ライナー
５０ａ    ライナー本体部
５０ｂ    整流フィン
６０      第４変形例による整流用ライナー
６０ａ    ライナー本体部
６０ｂ    整流フィン
６０ｃ    円盤部
１００    本発明の第２実施形態による湯水混合水栓
１１６    通水路形成部
１１６ａ  湯供給通路
１１６ｂ  水供給通路
１１７    湯水流出通路
１１７ａ  流出通路上流部
１１７ｂ  流出通路下流部
１２０    整流フィン
【図１】
2008208950.tif 000003
【図２】
2008208950.tif 000004
【図３】
2008208950.tif 000005
【図４】
2008208950.tif 000006
【図５】
2008208950.tif 000007
【図６】
2008208950.tif 000008
【図７】
2008208950.tif 000009
【図８】
2008208950.tif 000010
【図９】
2008208950.tif 000011
【図１０】
2008208950.tif 000012